(57)【要約】【課題】  ペットが発生源となる臭いや埃等を含む空気を効果的に浄化処理することが可能な空気清浄機を提供する。【解決手段】  空気清浄機１は、本体ケーシング１１、正面パネル２１、本体ケーシング１１内の空気清浄機構４２、送風機構４１等から構成されている。正面パネル２１は、本体ケーシング１１の正面開口を覆うように本体ケーシング１１に装着される。正面パネル２１は、正面吸い込み孔２１ａを有しており、正面吸い込み孔２１ａを覆うように取り付けられた蓋パネル２２を備えている。空気清浄機１は、正面パネル２１が有する蓋パネル２２の裏面側に、冷暖房ユニット３０を備えている。【選択図】      図１
2005233500.tif 000002
【特許請求の範囲】
【請求項１】
空気が吸い込まれる吸気口（１３，１４，１５）と、
前記吸気口（１３，１４，１５）から吸い込まれた空気に対して空気浄化処理を行う空気清浄ユニット（４２）と、
前記空気清浄ユニット（４２）において空気浄化処理された空気が排出される吹出し口（１２）と、
前記吸気口（１３，１４，１５）から空気を取り込むとともに、前記吹出し口（１２）から空気を排出する送風機構（４１）と、
前記空気浄化処理を行う空間に輻射熱を放出する伝熱部（２２）と、
を備えている空気清浄機（１）。
【請求項２】
前記伝熱部（２２）は、前記吸気口（１３，１４，１５）の近傍に取り付けられている、
請求項１に記載の空気清浄機（１）。
【請求項３】
前記伝熱部（２２）は、前記吸気口（２１ａ）を形成する正面パネル（２１）の一部または全体として形成されている、
請求項２に記載の空気清浄機（１）。
【請求項４】
前記伝熱部（２２）に対して、電熱変換により発生した熱を伝達する電子冷暖部（３０）をさらに備えている、
請求項１から３のいずれか１項に記載の空気清浄機（１）。
【請求項５】
前記伝熱部（２２）には、前記電子冷暖部（３０）において発生した熱が、前記送風機構（４１）によって送られる空気を介して伝達される、
請求項４に記載の空気清浄機（１）。
【請求項６】
前記吸気口（１３，１４，１５）から吸い込まれた空気に対して脱臭処理を行う脱臭ユニット（４３）をさらに備えた、
請求項１から５のいずれか１項に記載の空気清浄機（１）。
【請求項７】
前記空気浄化処理を行う空間に存在する蚊を撃退する超音波発生部（４０）をさらに備えた、
請求項１から６のいずれか１項に記載の空気清浄機（１）。
【発明の詳細な説明】
【技術分野】
【０００１】
本発明は、居住空間に存在する空気、特に、ペットから発せられる臭いや埃等を含む空気を効果的に清浄する空気清浄機に関する。
【背景技術】
【０００２】
室内には、ハウスダストや花粉などの粉塵や、タバコやペットなどから生じる臭気が存在する。近年、このような粉塵や臭気を取り除いて室内の空気を心地よいものにするため、種々の空気清浄機が提案されている。
特許文献１に開示されている空気清浄機では、タバコの煙や花粉などを急速に捕集しようとする場合に、送風機のモータ回転数を上げると風切り音が発生して騒音（運転音）に悩まされる恐れがあるとして、室内空気を急速に吸い込ませるために吸い込み開口の開口面積を略半分に絞って吸い込み速度を速くする技術を採用している。これにより、送風機のモータ回転数を上げる必要性をなくして、風切り音などの騒音の発生を防止している。
【０００３】
特許文献２に開示されている空気清浄機では、タバコの煙などのように局所から発生するものを吸引するための局所対応モードが用意されている。そして、通常のモードでは吸い込み開口をいわゆる全開状態とするのに対し、局所対応モードでは吸い込み開口を小開状態とする。これにより、局所対応モードでは、開口面積が小さくなった分だけ全開状態に比べて吸い込み速度が大きくなり、吸い込み開口の近傍の空気を急速に吸い込むことができる。
【特許文献１】特開２０００−１４６２３７号公報（平成１２年５月２６日公開）
【特許文献２】特開２００２−３２３２４３号公報（平成１４年１１月８日公開）
【発明の開示】
【発明が解決しようとする課題】
【０００４】
しかしながら、上記従来の空気清浄機では、以下に示すような問題点を有している。
すなわち、ペットは居住空間において臭いや埃の発生源となるが、ペットから発生する臭い等を含む空気を効果的に清浄することはできなかった。特に、従来の空気清浄機では、送風ファンの騒音等によりペットが近くに寄り付かないことが多かった。このため、ペットが発生源となる臭い等を含む空気を効果的に清浄することはできない。
【０００５】
本発明の課題は、ペットが発生源となる臭いや埃等を含む空気を効果的に浄化処理することが可能な空気清浄機を提供することにある。
【課題を解決するための手段】
【０００６】
請求項１に記載の空気清浄機は、吸気口、空気清浄ユニット、吹出し口、送風機構、伝熱部を備えている。吸気口は、室内空間の空気を吸い込む。空気清浄ユニットは、吸気口から吸い込まれた空気に対して空気浄化処理を行う。吹出し口は、空気清浄ユニットにおいて空気浄化処理された空気が排出される。送風機構は、吸気口から空気を取り込むとともに、吹出し口から空気を排出する。伝熱部は、空気浄化処理を行う空間に輻射熱を放出する。
【０００７】
ここでは、例えば、空気清浄機の正面パネル等に、外部に熱を放出する伝熱部を備えている。このため、動物が伝熱部から発せられる熱を求めて空気清浄機に近寄ってくることが予想される。ここで、動物は特に屋内環境において臭いや埃の発生源となる。そこで、本発明の動物用空気清浄機では、その臭いや埃の発生源となる動物が自然と空気清浄機に近づいて来るように、空気清浄機に伝熱部を組み込んでいる。
【０００８】
これにより、動物から発せられる臭いや埃が混入した空気を、近傍に寄ってきたペットから直接吸い込むことで効率よく浄化することができる。よって、犬や猫等のペットが居る室内空間においてもペットが発生源となる臭いや埃等を含む汚れた空気によって室内が汚染されることをより効果的に防止して、快適な室内環境を提供することができる。
なお、上記伝熱部が放出する熱は、冷房運転時に放出される冷熱と、暖房運転時に放出される暖熱とを含むものとする。
【０００９】
請求項２に記載の空気清浄機は、請求項１に記載の空気清浄機であって、伝熱部は、吸気口の近傍に取り付けられている。
ここでは、動物が近寄っていく伝熱部を、例えば、正面パネル等の空気清浄機の吸気口の近傍に取り付けている。このため、動物が発生源となる臭いや埃等を含む空気を直接吸い込んでさらに効率よく浄化処理を行うことができる。
【００１０】
請求項３に記載の空気清浄機は、請求項２に記載の空気清浄機であって、伝熱部は、吸気口を形成する正面パネルの一部または全体として形成されている。
ここでは、動物が近寄っていく伝熱部を、正面パネルの一部または全体として形成しているため、さらに効果的に動物を吸気口近傍まで引き寄せることができる。よって、動物から発せられる臭いや埃等を直接吸い込んでより効率的に空気浄化処理を行うことができる。
【００１１】
請求項４に記載の空気清浄機は、請求項１から３のいずれか１項に記載の空気清浄機であって、伝熱部に対して、電熱変換により発生した熱を伝達する電子冷暖部をさらに備えている。
ここでは、伝熱部に熱を伝達する熱源として、ペルチェ素子のような電子冷暖部を備えている。このため、電熱変換によって熱を発生させることができ、空気を汚さずに熱を発生させることができる。
【００１２】
また、電子冷暖部に流れる電流の向きを切り替えることにより容易に冷暖房の運転切り替えを行うことができる。さらに、電子冷暖部を備えると通常必要となる送風機構を別途設けなくても、空気清浄機が備えている送風機構を電子冷暖部用の送風機構として共用できる。このため、単に電子冷暖部を付加した構成と比較して、部品点数を削減してコストダウンが図れる。
【００１３】
請求項５に記載の空気清浄機は、請求項４に記載の空気清浄機であって、伝熱部には、電子冷暖部において発生した熱が、送風機構によって送られる空気を介して伝達される。
ここでは、電子冷暖部において発生した熱を、空気を介して間接的に伝熱部に伝達している。このため、電子冷暖部と伝熱部とを直接接触させる構成と比較して、伝熱部の温度分布を均一化することができる。さらに、電子冷暖部と伝熱部とを直接接触させる構成では、電子冷暖部の分だけ伝熱部の部分が厚くなるが、本発明の構成では伝熱部の下層には熱伝達媒体となる空気が流れる経路があればよい。このため、電子冷暖部と伝熱部とを直接接触させる構成と比較して、伝熱部の部分を大幅に薄型化できる。よって、動物にとって上に乗りやすい構造を備えた空気清浄機を提供できる。
【００１４】
請求項６に記載の空気清浄機は、請求項１から５のいずれか１項に記載の空気清浄機であって、吸気口から吸い込まれた空気に対して脱臭処理を行う脱臭ユニットをさらに備えている。
ここでは、脱臭機能を備えた空気清浄機であるため、動物の臭いを含む空気についても効果的に浄化処理することができる。
【００１５】
請求項７に記載の空気清浄機は、請求項１から６のいずれか１項に記載の空気清浄機であって、空気浄化処理を行う空間に存在する蚊を撃退する超音波発生部をさらに備えている。
ここでは、蚊を撃退する超音波を発生させる超音波発生部を備えているため、伝熱部周辺に寄ってきた動物が蚊に刺されてフィラリア等の病気になることを予防することができる。
【発明の効果】
【００１６】
請求項１に記載の空気清浄機によれば、動物から発せられる臭いや埃が混入した空気を近傍によってきたペットから直接吸い込んで効率よく浄化することができる。
請求項２に記載の空気清浄機によれば、さらに効率よく動物が発生源となる臭いや埃等を含む空気を吸い込んで浄化することができる。
請求項３に記載の空気清浄機によれば、さらに効果的に動物を吸気口近傍まで引き寄せることができ、動物から発せられる臭いや埃等を直接吸い込んでより効率的に空気浄化処理を行うことができる。
【００１７】
請求項４に記載の空気清浄機によれば、電熱変換によって熱を発生させることができ、空気を汚さずに熱を発生させることができる。
請求項５に記載の空気清浄機によれば、伝熱部の温度分布を均一化するとともに、伝熱部が取り付けられている部分の厚みを薄型化できる。
請求項６に記載の空気清浄機によれば、動物の臭いを含む空気についても効果的に浄化処理することができる。
【００１８】
請求項７に記載の空気清浄機によれば、伝熱部周辺に寄ってきた動物が蚊に刺されてフィラリア等の病気になることを予防することができる。
【発明を実施するための最良の形態】
【００１９】
本発明の一実施形態に係る空気清浄機について、図１〜図５を用いて説明すれば以下の通りである。
本実施形態の空気清浄機１は、室内の空気を清浄に保ち室内の快適性を向上させるために、室内の床などに載置される。具体的には、空気清浄機１によって、室内空気に含まれる塵（ペットの毛、ハウスダスト花粉、ダニの糞や死骸、カビ胞子など）や臭気（ペットの臭い、タバコの煙、雑菌、ウィルス、自動車などの排ガス、カビ臭、タバコの臭いなど）が除去される。
【００２０】
＜空気清浄機の構成＞
空気清浄機１は、主として、本体ケーシング１１、正面パネル２１、本体ケーシング１１内の冷暖房ユニット（電子冷暖部）３０（以上、図１および図２参照）、空気清浄機構（空気清浄ユニット）４２、送風機構４１を備えている（以上、図３参照）。
〔本体ケーシング〕
本体ケーシング１１には、吹出し口１２と、上面吸い込み開口（吸気口）１３と、側面吸い込み開口（吸気口）１４とが形成されている。また、本体ケーシング１１の正面側は大きく開口しており、その開口が正面パネル２１によって覆われる。
【００２１】
吹出し口１２は、本体ケーシング１１の上面の背面寄りの部分に形成されている。吹出し口１２は、清浄した空気を空気清浄機構４２により上方に向けて吹き出すために設けられている開口である。
上面吸い込み開口１３および側面吸い込み開口１４は、清浄する室内空気を空気清浄機構４２によって本体ケーシング１１内に吸い込むための開口である。上面吸い込み開口１３は、本体ケーシング１１の上面の正面寄りの部分に形成されている。上面吸い込み開口１３の横方向の長さは、正面パネル２１の横方向の長さと略同一である。
【００２２】
側面吸い込み開口１４は、本体ケーシング１１の左右の側面の正面寄りの部分にそれぞれ形成されている一対の開口である。
〔正面パネル〕
正面パネル２１は、本体ケーシング１１の正面開口を覆うように本体ケーシング１１に装着される。また、正面パネル２１は、正面吸い込み孔２１ａを有しており、正面吸い込み孔２１ａを覆うように取り付けられた蓋パネル（伝熱部）２２を備えている。
【００２３】
正面吸い込み孔２１ａは、正面パネル２１の略中央部に設けられ室内空気を本体ケーシング１１内に吸い込むための開口であるが、正面視において蓋パネル２２によって覆われて見えない状態となる（図１参照）。すなわち、正面視において蓋パネル２２の面積は正面吸い込み孔２１ａの面積よりも大きい。但し、蓋パネル２２と正面パネル２１との間には常に前後方向（図２の左右方向）の隙間（吸気口）１５が確保されており、この隙間１５を通って室内空気が正面側から本体ケーシング１１内へと吸い込まれることになる。すなわち、隙間１５は、室内空気を本体ケーシング１１内へと吸い込ませるための吸い込み開口となっている。
【００２４】
正面パネル２１の下部には、図１に示すように、本体ケーシング１１内に配備される表示ＬＥＤを正面から目視できるように複数の表示用小孔２１ｂが形成されている。また、正面パネル２１の下部には、ＯＮ／ＯＦＦなどを行うための操作ボタン２５やスピーカからの音を出すための小孔２１ｃが設けられている。
蓋パネル２２は、正面パネル２１に形成された正面吸い込み孔２１ａを覆うように取り付けられる熱伝導性の高いパネルである。この蓋パネル２２の裏面側の下部には、図２に示すように、冷暖房ユニット３０が取り付けられている。ここで、本実施形態の空気清浄機１が有している蓋パネル２２は、冷暖房ユニット３０において発生した熱を伝達する熱伝熱部としての機能を有している。このため、冷暖房ユニット３０において発生した熱は、接触している蓋パネル２２に伝達され、蓋パネル２２は外部に対して輻射熱を放出する冷暖房の熱源となる。なお、蓋パネル２２が放出する熱には、冷房運転時の冷熱と暖房運転時の暖熱とが含まれる。
【００２５】
〔冷暖房ユニットの構成〕
冷暖房ユニット３０は、主要な構成として、ペルチェ素子（電熱変換半導体素子）３１、放熱用フィン３２を備えており、上述したように蓋パネル２２の裏面側に密着配置されている。
ペルチェ素子３１は、図５に示すように、流れる電流の方向によって熱伝導面３１ａと放熱面３１ｂとを、吸熱面と加熱面、あるいは加熱面と吸熱面に切り替えることができる。具体的には、電流を所定の方向へ流すと、熱伝導面３１ａが吸熱面となり放熱面３１ｂが加熱面となる（第１状態）。一方、電流を上記所定の方向とは反対方向へ流すと、熱伝導面３１ａが加熱面となり放熱面３１ｂが吸熱面となる（第２状態）。これにより、電流の向きを切り替えることで上述した第１状態と第２状態とを使い分け、冷房運転と暖房運転との切り替えを行うことができる。このため、例えば、冷房運転を行う場合には、蓋パネル２２と接触する側のペルチェ素子３１の熱伝導面３１ａが吸熱面となるように電流を流す。これにより、蓋パネル２２を冷却して蓋パネル２２から冷熱を放射することができる。一方、暖房運転を行う場合には、反対に熱伝導面３１ａが放熱面となるように電流を流す。これにより、蓋パネル２２を加熱して、蓋パネル２２から暖熱を放射することができる。
【００２６】
放熱用フィン３２は、ペルチェ素子３１の放熱面３１ｂ側に、ねじや接着剤等を用いて固定されている。また、放熱用フィン３２は、アルミニウム合金やマグネシウム合金、高機能グラファイト等の比較的軽量で熱伝達効率が高い材料を用いて形成されている。放熱用フィン３２には、熱的に結合している（接触している）ペルチェ素子３１の放熱面３１ｂにおいて発生した熱が伝達される。そして、放熱用フィン３２に伝達された熱は、送風機構４１によって送られる空気を介して外部に放出される。このように、ペルチェ素子３１の放熱面３１ｂにおいて発生した熱を表面積の大きい放熱用フィン３２に伝達し、放熱用フィン３２に対して空気を送って放熱させることで、冷暖房に使用する熱とは反対の面（放熱面３１ｂ）において発生した熱を効率よく放熱させることができる。
【００２７】
なお、本実施形態の空気清浄機１では、空気清浄機が元来備えている送風機構４１による送風を利用して放熱用フィン３２に伝達された不要な熱を放出している。このため、空気清浄機１に対して冷暖房ユニット３０を組み合わせた場合でも、別途冷暖房ユニット３０の放熱用送風ファンを設ける必要がない。このため、単に空気清浄機と冷暖房ユニットとを組み合わせた構成と比較して、放熱用送風ファンを設けるコストを削減して、コストダウンが図れる。
【００２８】
〔空気清浄機構〕
空気清浄機構４２は、図４に示すように、プレフィルタ６１と、プラズマイオン化装置６２と、静電フィルタ６３および酸化チタンフィルタ６４から成る第１光触媒フィルタ６８と、第２光触媒フィルタ６５と、インバータランプ６７と、第３光触媒フィルタ６６とから構成されている。
【００２９】
プレフィルタ６１は、一番正面側に配置されており、比較的大きな埃やペットの毛などを除去する。ここでは、プレフィルタ６１として、合成樹脂繊維などの防塵ネットを採用している。
プラズマイオン化装置６２は、プレフィルタ６１の後方に配置されている。このプラズマイオン化装置６２は、プレフィルタ６１を通過してきた煙、粉塵、花粉、その他の汚れの粒子に強い電荷をかけて帯電させるものであり、後述する各フィルタ６８，６５における粒子の捕集効率を高める。
【００３０】
第１光触媒フィルタ６８は、プラズマイオン化装置６２の後方に配置されている。第１光触媒フィルタ６８は、プラズマイオン化装置６２で帯電させられた粒子を吸着するための静電フィルタ６３と、光触媒作用を有する酸化チタンを含む酸化チタンフィルタ６４とが積層されたものである。この第１光触媒フィルタ６８は、複数回分の長さを巻き込んだロール状とされており、使用中の面が汚れた場合に引き出して汚れた部分をカットするような構成となっている。
【００３１】
第２光触媒フィルタ６５および第３光触媒フィルタ６６は、第１光触媒フィルタ６８の後方に配置されており、酸化チタンを含有する材料で構成される。
インバータランプ６７は、第２光触媒フィルタ６５および第３光触媒フィルタ６６の中間に配置されている。このインバータランプ６７は、第１光触媒フィルタ６８、第２光触媒フィルタ６５、および第３光触媒フィルタ６６に紫外線を照射するものであり、各光触媒フィルタの光触媒作用を活性化させる。
【００３２】
〔送風機構〕
本体ケーシング１１内の空気清浄機構４２の後方空間には、図４に示すように、送風機機構４１が配備されている。送風機構４１は、主として、ファンモータ７１と、ファンモータ７１によって回転駆動される遠心ファン７２とから構成されている。ファンモータ７１は、インバータ回路により周波数制御されるインバータモータである。
【００３３】
＜空気清浄機の動作説明＞
本実施形態の空気清浄機１は、操作ボタン２５やリモコン等を用いて運転開始指示が入力されると、図示しない制御部が図３に示す送風機構４１を回転させる。このとき、送風機構４１は、図２に示すＦ９の方向に空気を送り出す一方で、Ｆ１〜Ｆ３の方向から空気を吸い込んで、装置内に室内の空気を取り込む。
【００３４】
空気清浄機１内に取り込まれた空気は、図３に示す空気清浄機構４２を通過してペットの毛、ハウスダスト等を除去した後、脱臭ユニット４３を通過してペットの臭いやタバコの臭い等を浄化する。そして、空気清浄化処理された空気は、送風機構４１によって再び室内空間に送り出される。
本実施形態の空気清浄機１は、以上のような空気清浄処理とともに、上述した冷暖房ユニット３０に電流を流して冷暖房を行う。
【００３５】
すなわち、空気清浄機１は、操作ボタン２５やリモコン等を用いて運転開始指示が入力されると、上述した空気浄化処理を行うとともに、冷暖房ユニット３０に対して電流を流して蓋パネル２２から室内空間に対して輻射熱を放出する。
例えば、冷房運転を行うように操作ボタン２５等から指示入力がされた場合には、図示しない制御部が、冷暖房ユニット３０が有しているペルチェ素子３１の熱伝導面３１ａが吸熱面となり放熱面３１ｂが放熱面となるような向きに電流を流すように制御する。これにより、吸熱面となる熱伝導面３１ａが接触している蓋パネル２２が冷やされて、室内空間に対して冷熱を放出することができる。
【００３６】
一方、暖房運転を行うように操作ボタン２５等から指示入力がされた場合には、図示しない制御部が、冷暖房ユニット３０が有しているペルチェ素子３１の熱伝導面３１ａが放熱面となり放熱面３１ｂが吸熱面となるような向きに電流を流すように制御する。これにより、放熱面となる熱伝導面３１ａが接触している蓋パネル２２が加熱されて、室内空間に対して暖熱を放出することができる。
【００３７】
この結果、犬や猫等のペットは、特に、暑い日あるいは寒い日には、冷気あるいは暖気に当たろうとして空気清浄機１の蓋パネル２２に近寄ってきて、蓋パネル２２の近傍に留まることが考えられる。このため、本実施形態の空気清浄機１では、室内空間等において臭いや埃の発生源となるペットを、空気清浄機１の空気吸い込み口付近である蓋パネル２２の近傍にひきつけてその臭い等をペット方直接取り込んで空気浄化処理を行うことができる。この結果、従来よりも効果的にペットが発生源となる臭い等を含む空気を浄化処理して、より快適な室内環境を提供できる。
［空気清浄機の特徴］
（１）
本実施形態の空気清浄機１は、図１〜図３に示すように、正面パネル２１が有する蓋パネル２２の裏面側に、冷暖房ユニット３０を備えている。
【００３８】
これにより、空気浄化機能とともに、空気清浄機１近傍の空間を冷暖房する機能も併せ持つことができる。このため、本実施形態の空気清浄機１が載置されている室内空間でペットを飼っている場合には、伝熱部から放射される輻射熱を求めてペットが冷暖房ユニット３０の近くに寄っていくことが考えられる。
例えば、夏季の気温が高い日に空気清浄運転を行いながら冷房運転を行うと、ペットが冷感を得ようと冷暖房ユニット３０によって冷却された蓋パネル２２の近傍に寄り添うことが考えられる。一方、冬季のような気温が低い日には、空気清浄運転を行いながら暖房運転を行うと、ペットは暖気を得ようと冷暖房ユニット３０によって加熱された蓋パネル２２に寄り添うことが考えられる。
【００３９】
このように、空気清浄機能に冷暖房機能も付加した本実施形態の空気清浄機１では、臭いや埃等の発生源となるペットを、空気清浄機１の近傍まで引き寄せることができるため、ペットが発生源となる臭い等を含む空気を直接取り込んで効果的に浄化処理を行うことができる。この結果、従来よりも効率よく空気浄化機能を発揮する空気清浄機１を得ることができる。
【００４０】
（２）
本実施形態の空気清浄機１は、冷暖房ユニット３０を、吸い込み孔２１ａの近傍に配置された蓋パネル２２に接触するように配置している。
これにより、ペットをひきつける輻射熱を放出する蓋パネル２２の近傍に形成された吸い込み孔から、ペットが発生源となる臭いや埃等を含む空気を直接吸い込んで、さらに効率よく空気浄化処理を行うことができる。
【００４１】
（３）
本実施形態の空気清浄機１は、冷暖房ユニット３０の熱源として、電熱変換を行うペルチェ素子３１を用いている。
これにより、電流の向きを切り替えるだけで容易に冷暖房運転の切り替えを行うことが可能になる。また、電熱変換処理によって熱を発生させるため、空気を汚さずに熱を発生させることができる。さらに、ペルチェ素子３１の放熱面側に対して送風する送風機構を別途設けなくても、空気清浄機１が備えている送風機構４１を冷暖房ユニット３０の送風機構として共用できるため、無駄なコストアップを回避できる。
【００４２】
（４）
本実施形態の空気清浄機１は、図３に示すように、本体ケーシング１２の内部に脱臭ユニット４３を備えている。
これにより、ペットが発生源となる臭いを含む空気を吸い込んで、効果的に空気浄化処理を行うことができる。
【００４３】
（５）
本実施形態の空気清浄機１は、図１に示すように、超音波発生器４０を備えている。
これにより、伝熱部としての蓋パネル２２に近寄ってくるペットに対して寄ってくる蚊を超音波によって撃退し、ペットが蚊に刺されることを防止できる。よって、例えば、犬等のペットが蚊に刺されてフィラリア等の病気になることを予防できる。
［他の実施形態］
以上、本発明の一実施形態について説明したが、本発明は上記実施形態に限定されるものではなく、発明の要旨を逸脱しない範囲で種々の変更が可能である。
【００４４】
（Ａ）
上記実施形態では、冷暖房ユニット３０が伝熱部となる蓋パネル２２に対して直接接触している例を挙げて説明した。しかし、本発明はこれに限定されるものではない。
例えば、図６に示すように、冷暖房ユニット３０において発生した熱を、送風機構４１によって送られる空気を介して伝熱部として機能する蓋パネル２２に伝達してもよい。この場合には、冷暖房ユニット３０が蓋パネル２２に対して直接接触して熱を伝達する構成と比較して、蓋パネル２２の温度分布を均一化することができる。このため、蓋パネル２２からの輻射熱を受けるペットに対して温度ムラのないさらに快適な冷暖房を提供することが可能になる。この結果、空気清浄機１にペットが近寄りやすくなり、さらに効果的にペットが発生源となる臭いや埃等を含む空気を浄化処理して快適環境を提供することができる。また、熱伝達媒体となる空気を空気清浄機１の送風機構４１によって送っているため、別途送風機構を設ける必要がない。
【００４５】
なお、上記のような冷暖房ユニット３０において発生した熱を、空気を介して伝熱部として機能する蓋パネル２２に伝達する構成では、図６に示すように、熱伝導面３１ａに熱伝導フィン３３を形成することがより好ましい。これにより、冷暖房に用いられる熱を発生させる熱伝導面３１ａの熱を効率よく空気に伝達することができるため、蓋パネル２２への熱効率を高めることができる。
【００４６】
（Ｂ）
上記実施形態では、冷暖房の熱源となる冷暖房ユニット３０を空気清浄機１の正面パネル２１に取り付けている例を挙げて説明した。しかし、本発明はこれに限定されるものではない。
例えば、正面パネル２１以外の場所に取り付けられていてもよい。この場合でも、空気清浄機１の近傍に臭いや埃の発生源となるペットを引き寄せる効果については同様に得ることができる。
【００４７】
ただし、冷暖房ユニット３０は、正面パネル２１以外の場所に取り付けられる場合でも、空気清浄機１の吸い込み口付近に取り付けられていることが好ましい。これにより、近傍まで引き寄せたペットから発せられる臭い等を含んだ空気を効果的に空気清浄機１において清浄することができる。
（Ｃ）
上記実施形態では、蓋パネル２２を伝熱部として用いる例を挙げて説明した。しかし、本発明はこれに限定されるものではない。
【００４８】
例えば、蓋パネル２２とは別途独立して伝熱部となる熱伝導板等を設けてもよい。ただし、吸気口（正面吸い込み孔２１ａ）の付近に設置することができ、部品点数も削減できるため、上記実施形態のように蓋パネル２２を伝熱部として用いることがより好ましい。
（Ｄ）
上記実施形態では、正面パネル２１の一部である蓋パネル２２が冷暖房ユニット３０と接触しており、輻射熱を放出する伝熱部として機能する例を挙げて説明した。しかし、本発明はこれに限定されるものではない。
【００４９】
例えば、蓋パネル２２だけでなく、正面パネル２１全体が輻射熱を放出する伝熱部として機能する構成であってもよい。これにより、輻射熱を放出する面積が大きくなるため、より冷暖房効果を高めることができる。
【産業上の利用可能性】
【００５０】
本発明の空気清浄機は、ペットから発生する臭いや埃等を含む空気を効果的に清浄することができるという効果を奏することから、ペット居住空間に設置される空気清浄機に対して広く適用可能である。
【図面の簡単な説明】
【００５１】
【図１】本発明の一実施形態に係る空気清浄機を示す正面図。
【図２】図１の空気清浄機の側面図。
【図３】図１の空気清浄機の内部の構成を示す断面図。
【図４】図１の空気清浄機が備えている空気清浄機構の構成を示す概略図。
【図５】図３の空気清浄機が備えている冷暖房ユニットの構成を示す側面図。
【図６】本発明の他の実施形態に係る空気清浄機の正面パネル周辺の構成を示す側面図。
【符号の説明】
【００５２】
１        空気清浄機
１１        本体ケーシング
１２        吹出し口
１３        上面吸い込み開口
１４        側面吸い込み開口
１５        隙間（吸い込み開口）
２１        正面パネル
２１ａ      正面吸い込み孔（吸気口）
２２        蓋パネル（伝熱部）
３０        冷暖房ユニット（電子冷暖部）
３１        ペルチェ素子
３１ａ      熱伝導面
３１ｂ      放熱面
３２        放熱用フィン
３３        熱伝導フィン
４０        超音波ユニット
４１        送風ファン（送風機構）
４２        空気清浄機構（空気清浄ユニット）
４３        脱臭ユニット
５０        冷暖房ユニット（電子冷暖部）
５１        ペルチェ素子
５１ａ      熱伝導面
５１ｂ      放熱面
Ｆ１〜Ｆ３  吸い込み方向
Ｆ９        吹出し方向
【図１】
2005233500.tif 000003
【図２】
2005233500.tif 000004
【図３】
2005233500.tif 000005
【図４】
2005233500.tif 000006
【図５】
2005233500.tif 000007
【図６】
2005233500.tif 000008